(57)【要約】      （修正有）【課題】支持台を備え、把手部に器部が連設されているので、飲み口に当たる部分が載置面や手等に直接触れる必要が無く衛生面に優れ、把手部を持って薬を服用するので、薬を服用者やその介護者等どのような人が用いても薬を服用者の口に流し入れ易く、薬が器部内に残り難いので、種類に関わらず薬を容易に服用することができるとともに、分解や組立が容易に行える構造にすることもできるので、携帯や収納がし易く、利便性に優れる薬服用補助具を提供する。【解決手段】平板状の支持台２と、支持台に立設された把手部３と、把手部の上端部に連設された器部４と、を有し、器部が、内側が凹み，その一端又は両端の膨出部４ａ，４ａ’に向かって先細り状に形成されている構成を有している。【選択図】図１
0003183570.tif 000002
【実用新案登録請求の範囲】
【請求項１】
支持台と、前記支持台に立設された把手部と、外底面が前記把手部の上端部に連設された器部と、を有し、前記器部が、内側が凹み，その一端又は両端の膨出部に向かって先細り状に形成されていることを特徴とする薬服用補助具。
【請求項２】
前記器部が、前記把手部に着脱自在に配設されていることを特徴とする請求項１に記載の薬服用補助具。
【請求項３】
前記把手部に形成された薬収容部を備えていることを特徴とする請求項１又は２に記載の薬服用補助具。
【請求項４】
前記器部の外周の対向位置に異なる大きさの２つの前記膨出部を備えていることを特徴とする請求項１乃至３の内いずれか１に記載の薬服用補助具。
【考案の詳細な説明】
【技術分野】
【０００１】
本考案は、薬の服用を容易にすることができる薬服用補助具に関する。
【背景技術】
【０００２】
従来から、病人等が服用する薬は、粉薬については方形の包装紙を二つ折りした後畳んだものや、密閉した袋状の包装紙に入っている。また、顆粒状の薬や丸薬は密閉した袋状の包装紙に入っており、錠剤やカプセルは１個ずつ若しくは１回服用分ずつ密閉した包装紙に入っている。
これらの薬を病人等が服用する際、粉薬や顆粒状の薬は、包装紙を開き、折り目や一辺側等に沿って口中に投入して飲んでいた。また、丸薬や錠剤，カプセル等の薬は、手の平に載せたり、摘んだりして飲んでいた。
これら薬の服用方法では、粉薬や顆粒状の薬の場合は、折り目等に残留した薬を落とすために、包装紙を指で弾く等していたが、薬を飛散して顔に掛かる等し、薬の全部を容易に飲むことができないという問題点があった。また、丸薬や錠剤，カプセル等は手の平に載せたり、摘んだりするので不衛生であるという問題点があった。
これらの問題点を解決するために、（特許文献１）には、「方形または略方形のシート状物を部分的に裁断及び折り曲げてなる薬等を飲む場合に使用する補助具であって、該シート状物の後部両側に側線に沿って略平行に所定長の切れ目を均等に入れて前記シート状物の後部を両側部と中央部とに分割し、前記両側部のそれぞれを前記中央部に接着して該シート状物の両側を内側に湾曲させ、前記シート状物の前部両側を外側に折り曲げて脚部を形成したことを特徴とする薬等を飲む場合に使用する補助具。」が開示されている。また、（特許文献２）には、「各種薬を収納する薬収納部、該薬収納部を隠蔽する開封容易な蓋部及び該薬収納部より延出した把持部とより形成したことを特徴とするスプーン型薬容器」が開示されている。
【先行技術文献】
【特許文献】
【０００３】
【特許文献１】実開平５−６２２４６号公報
【特許文献２】実用新案登録３１０２５５６号公報
【考案の開示】
【考案が解決しようとする課題】
【０００４】
しかしながら上記従来の技術においては、以下のような課題を有していた。
（１）（特許文献１）に開示の技術は、シート状物を自分で組み立てる必要があり手間が掛かるとともに、飲み口に手が触れる場合があり、不衛生であるとともに、使い捨てであるため省資源性に欠けるという課題を有していた。また、把手部がなく、補助具を直に持つ必要があるので、服用時に補助部を傾けた際、手から補助具が滑り落ち易く、利便性に欠け、また、脚部はシート状物を折り曲げて形成されているため、安定性が悪く、薬がこぼれ易いという課題を有していた。
（２）（特許文献２）に開示の技術は、スプーン型であるため、服用前にテーブル等に置いておくと、口腔内に入る薬収容部の外表面がテーブルと接し、不衛生であるとともに、口腔内で薬収容部を上下反転させて服用する必要があるため、特に粉薬の場合等は薬が口腔内で飛散し、薬が気管に入り易いという課題を有していた。
【０００５】
本考案は上記従来の課題を解決するもので、支持台を備え、把手部に器部が連設されているので、飲み口に当たる部分が載置面や手等に直接触れる必要が無く衛生面に優れ、把手部を持って薬を服用するので、薬を服用者やその介護者等どのような人が用いても薬を服用者の口に流し入れ易く、薬が器部内に残り難いので、種類に関わらず薬を容易に服用することができるとともに、分解や組立が容易に行える構造にすることもできるので、携帯や収納がし易く、利便性に優れる薬服用補助具を提供することを目的とする。
【課題を解決するための手段及びそれによって得られる作用、効果】
【０００６】
上記従来の課題を解決するために、本考案の薬服用補助具は、以下の構成を有している。
本考案の請求項１に記載の薬服用補助具は、支持台と、前記支持台に立設された把手部と、外底面が前記把手部の上端部に連設された器部と、を有し、前記器部が、内側が凹み，その一端又は両端の膨出部に向かって先細り状に形成されている構成を有している。
この構成により、以下のような作用・効果を有する。
（１）器部が先細り状に形成された膨出部（投与部）を備えるので、膨出部を飲み口として使用することができ、口に向けた状態で器部を傾けても薬が放射状に広がることなく、薬が膨出部の先端側に集まって流れるので、薬を口腔内に流し入れ易く、寝たきりの患者等にも容易に薬を服用させることができる。また、薬を流し入れた後に器部を用いて口腔内に水を流し入れることも容易であり、使用性に優れる。
（２）把手部を備えているので、薬を飲む（飲ませる）際に薬服用補助具を落とし難く、また、把手部を持ちながら器部を傾けることができるので、薬の服用者や介護者等が用いても、容易で安全に薬を服用することができる。
（３）器部が把手部の上端部に連設されているので、器部がテーブルや手等に直接触れることがなく衛生面に優れる。
（４）支持台を備えているので、テーブル等の上に安定した状態で置くことができ、服用する薬を器部に容易に移すことができるとともに、薬を入れた状態で置いておくこともできるため、使用性や利便性に優れる。
【０００７】
ここで、薬服用補助具を形成する素材としては、形状を保持できるものであれば特に限定されず、合成紙や合成樹脂製，金属製，木製の他、ガラスや琺瑯，陶磁器等のセラミックス製等の材料を用いることができる。
支持台及び把手部，器部の全てを同じ素材にしても良いし、異なる素材にしても良い。
【０００８】
支持台としては、薬服用補助具をテーブル等の台上に安定して載置することができれば形状や素材は特に限定されない。例えば、平板状，三脚状，円錐台等の形状が選択される。
【０００９】
把手部の形状は特に限定されず、手で掴むことができれば良い。例えば、円柱や角柱等の柱状等の形状にすることができる。
把手部を円筒等の中空状にすることで薬服用補助具を軽くすることができる。また、把手部は支持台や器部と着脱自在に配設しても良い。組立自在で、収容場所をとらず、また、携帯にも便利である。
【００１０】
器部の形状は特に限定されないが、器部に薬を入れる際にこぼれ落ち難いように、上面に開口を有した窪み又は凹みを有することが好ましい。窪み部分の形状は、服用する粉薬が流動し易く、容易に粉薬を服用することができるように、粉薬の安息角を考慮して形成されることが好ましい。器部の窪みまたは凹みは、折り目を作らず丸みを帯びた窪みにすることで、粉薬が器部に残りにくく薬を全て服用することができる。
また、器部の厚みが薄すぎると破損し易く、厚すぎると薬の服用が困難であるため、適当な厚みに形成される。
器部は、内周面側に仕切りを形成しても良い。
【００１１】
膨出部の数は特に限定されないが、１〜２の数で形成される。尚、膨出部は用途に応じ、３乃至４形成しても良い。膨出部の数が４より多くなるにつれ、器部に入れた薬を服用する際に、薬が複数の膨出部に分散し、薬の服用が困難になる傾向にあり好ましくない。
膨出部を複数形成し大きさ等を変えることで、服用する薬の種類や服用する人の年齢等により飲み口として使用する膨出部を適宜選択することができ、汎用性に優れる。
【００１２】
請求項２に記載の考案は、請求項１に記載の薬服用補助具であって、前記器部が、前記把手部に着脱自在に配設された構成を有している。
この構成により、請求項１の作用・効果に加え、以下のような作用・効果を有する。
（１）器部と把手部が着脱自在であるため、使用後に器部のみを取外して洗浄することができ、洗浄が容易で、衛生的に使用することができるとともに、服用する薬の種類や服用する人に合わせて器部を変更することができるので、利便性に優れる。
（２）器部を取り外すことができるので、携帯や収納がし易く、利便性に優れる。
【００１３】
ここで、器部と把手部を着脱自在にする方法としては、特に限定されないが、器部の外底面側に形成された接合部を把手部の器部側の内周面又は外周面に嵌着，係着，螺着する等の方法を用いることができる。
【００１４】
請求項３に記載の考案は、請求項１又は２に記載の薬服用補助具であって、前記把手部に形成された薬収容部を備えた構成を有している。
この構成により、請求項１又は２の作用・効果に加え、以下のような作用・効果を有する。
（１）把手部の内部に薬収容部を備えているので、薬服用補助具とともに必要な薬を持ち歩くことができ利便性に優れるとともに、薬服用補助具を持ち歩くことで、薬を忘れることがないため、飲み忘れを防ぐことができる。
（２）薬収容部の内部を仕切り等で区切ることで、異なる種類の薬を分けて収容することができ、汎用性に優れるとともに、薬収容部内で薬が混ざることがないので、薬の飲み間違い等が起こり難く使用性に優れる
【００１５】
ここで、把手部に薬収容部を設ける方法としては、中空状の把手部を器部又は支持台と脱着自在にする方法、把手部の一部に空洞を形成し開閉自在（又は摺動自在）の扉部を配設する方法等の方法を用いることができる。
また、薬収容部の内部は仕切り等により複数種の薬を選り分けて収容できるようにしても良い。例えば、管状の把手部に器部及び支持台が着脱自在に配設されている場合、把手部中央に仕切りを設けることで、把手部内部の器部側と支持台側に異なる種類の薬を収容することができる。又は、把手部を３分割して、一日分（朝・昼・晩）の薬を収容するようにしても良い。
【００１６】
請求項４に記載の考案は、請求項１乃至３の内いずれか１に記載の薬服用補助具であって、前記器部の外周の対向位置に異なる大きさの２つの前記膨出部を備えた構成を有している。
この構成により、請求項１乃至３の作用・効果に加え、以下のような作用・効果を有する。
（１）膨出部の大きさが異なるので、薬の種類・形状や使用する患者の年齢（大人と子供）等によって服用の際に使用する膨出部を選択することができ、利便性に優れる。
【図面の簡単な説明】
【００１７】
【図１】実施の形態１の薬服用補助具の斜視図
【図２】実施の形態１の薬服用補助具の平面図
【図３】（ａ）実施の形態１の薬服用補助具の正面図（ｂ）実施の形態１の薬服用補助具の側面図
【図４】実施の形態１の薬服用補助具の分解斜視図
【図５】実施の形態２の薬服用補助具の斜視図
【図６】実施の形態２の薬服用補助具の平面図
【図７】（ａ）実施の形態２の薬服用補助具の扉部を閉じた時の要部拡大図（ｂ）実施の形態２の薬服用補助具の扉部を開いた時の要部拡大図
【考案を実施するための形態】
【００１８】
本考案の実施の形態１における薬服用補助具について、以下図面を参照しながら説明する。なお、本考案は以下に説明する実施の形態に限定されるものではない。
（実施の形態１）
図１は実施の形態１の薬服用補助具の斜視図であり、図２は実施の形態１の薬服用補助具の平面図であり、図３（ａ）は実施の形態１の薬服用補助具の正面図であり、図３（ｂ）は実施の形態１の薬服用補助具の側面図である。
図１乃至図３中、１は実施の形態１の薬服用補助具、２は薬服用補助具１の支持台、
３は支持台２の上面に立設され中空に形成された把手部、３ａは把手部３の下端部（支持台２側）に形成されたフランジ部、４は把手部３の上端部に着脱自在に連設された器部、４ａ（４ａ’）は器部４の外周方向に先細り状に形成された膨出部（投与部）、４ｂは器部４に形成され種々の薬が入れられる窪み部である。
【００１９】
本実施の形態では、支持台２は平板状にしているが、これに限定されるものではない。例えば、脚部を把手部３に配設して三脚状や円錐台状にする等しても良い。
把手部３はフランジ部３ａを介し、接着剤により支持台２と固着している。固着方法は把手部３や支持台２の素材により、螺着等適宜選択される。
器部４は、薬を服用する人が口に付け易いよう、適当な厚みと丸みを持って形成される。また、器部４の窪み部４ｂは、服用する粉薬が流動し易く、容易に粉薬を服用することができるように、粉薬の安息角を考慮して形成されることが好ましい。これにより、器部４に粉薬を入れ、膨出部４ａ（４ａ’）のどちらかに傾けた場合、下側にある膨出部４ａ（４ａ’）側に粉薬が流れ易くなり、器部４に粉薬が残り難く、粉薬を飛散させることもないので、容易に粉薬を服用することができる。また、窪み部４ｂの傾斜角度を、膨出部４ａ方向と膨出部４ａ’方向で変えても良い。
膨出部４ａ（４ａ’）は、器部４の外周の対向する位置に２つ形成しているが、膨出部の数はこれに限定されず、膨出部４ａ（４ａ’）はどちらか片方のみを形成しても良い。膨出部４ａ（４ａ’）を同じ大きさに形成しているので、を飲み口として使用する際にどちらを用いても良いため使用性に優れる。尚、膨出部４ａ（４ａ’）の先端部の幅や器部外底面に対する高さ等を変えることにより、例えば、薬の形状（粉や顆粒等）により、膨出部４ａ（４ａ’）を飲み口として使い分けることができる。
薬服用補助具１を形成する素材としては、形状を保持できるものであれば特に限定されず、合成紙や合成樹脂，金属，木材の他、ガラスや琺瑯，陶磁器等のセラミックス等を用いることができる。
【００２０】
次に、実施の形態１における薬服用補助具の構造について詳細に説明する。
図４は実施の形態１の薬服用補助具の斜視図である。
図４中、３ｂは把手部３の上端部（器部４側）に形成され内周面に螺子溝（図示しない）が形成された開口部、５は器部４の外底面に形設され把手部３の開口部３ｂの内周面と螺合される接合部である。
【００２１】
把手部３は円筒状であり、開口部３ｂの内周面に形成された螺子溝と器部４に形設された接合部５が螺合することで、器部４を把手部３に対して着脱自在に接合しているが、接合方法はこれに限定されるものではない。把手部３が円筒状であるため、内部を薬等を入れるための収容部として用いることができる。把手部３の形状は円筒状（円柱状）に限らず適宜選択することができる。
また、実施の形態１において把手部３は支持台２と接着剤により固着しているが、器部４と同様に着脱自在に接合しても良い。支持台２と把手部３，器部４を着脱自在とすることで、薬服用補助具１が洗浄し易くなり、衛生面に優れるとともに、分解すれば収納場所を取らず、携帯もし易いので、支持部２，把手部３，器部４の分解や組立を容易にすることで、より利便性を高めることができる。
【００２２】
次いで、本実施の形態の薬服用補助具の使用方法を説明する。
まず、薬服用補助具１を平らな台上に載置し、服用する薬を器部４の窪み部４ｂに入れる。
次に、把手部３を持ち、膨出部４ａ（又は４ａ’）を薬の服用者の口に近付け、器部４を傾けることで薬が膨出部４ａ（又は４ａ’）の先端側に集まって流れて行き、薬が服用者の口の中に入る。この時、必要であれば、薬を流し入れた後に、器部４に沿って水を流し、
使用後は、器部４を把手部３から取り外し、器部４を洗浄する。
【００２３】
以上のように構成された本考案の実施の形態１における薬服用補助具によれば、以下の作用を有する。
（１）把手部３を備えているので、薬を飲む（飲ませる）際に薬服用補助具１を落とし難く、また、把手部３を持ちながら器部４を傾けることができるので、薬の服用者や介護者等どのような人が用いても、容易で安全に薬を服用することができる。
（２）器部４が先細り状に形成された膨出部４ａ（４ａ’）を備えるので、膨出部４ａ（４ａ’）を飲み口として使用することができ、口に向けた状態で器部４を傾けても薬が放射状に広がることなく薬を口腔内に流し入れることができるので、寝たきりの患者等にも容易に薬を服用させることができる。また、薬を流し入れた後に器部４を用いて口腔内に水を流し入れることも容易であり、使用性に優れる。
（３）器部４が把手部３の上端部に連設されているので、器部４がテーブルや手等に直接触れることがなく衛生面に優れる。
（４）支持台２を備えているので、テーブル等の上に安定した状態で置くことができ、服用する薬を器部４に容易に移すことができるとともに、薬を入れた状態で置いておくこともできるため、使用性や利便性に優れる。
（５）器部４と把手部３が着脱自在であるため、使用後に器部４のみを取外して洗浄することができ、洗浄が容易で、衛生的に使用することができるとともに、服用する薬の種類や服用する人に合わせて器部４を変更することができるので、利便性に優れる。
（６）器部４と把手部３の分解や組立が容易であるので、分解後の収納場所は狭くても良く、携帯も容易であり、利便性に優れる。
【００２４】
（実施の形態２）
本考案の実施の形態２における薬服用補助具について、以下、図面を用いて説明する。
図５は実施の形態２の薬服用補助具の斜視図であり、図６は実施の形態２の薬服用補助具の平面図であり、図７（ａ）は実施の形態２の薬服用補助具の扉部を閉じた時の要部拡大図であり、図７（ｂ）は実施の形態２の薬服用補助具の扉部を開いた時の要部拡大図である。尚、実施の形態１で説明したものと同様のものは、同じ符号を付して説明を省略する。
図５及び図６中、１０は実施の形態２の薬服用補助具、１１は把手部３に形設された扉
部である。
図７中、１１ａは扉部１１の一側端に形成された切欠部、１１ｂは扉部１１の他側端に形成され扉部１１を把手部３に開閉自在に配設するヒンジ部、１２は把手部３の内部に形設され扉部１１により開封自在に形成された薬収容部である。
【００２５】
本実施の形態では、膨出部４ａと膨出部４ａ’は異なる大きさに形成してある。
また、把手部３には薬収容部１２が形設されており、切欠部１１ａに指等を引っ掛け扉部１１を開閉することにより、薬収容部１２が開封自在になっている。扉部１１を開閉させる方法はこれに限らず、例えば、扉部１１を摺動自在に形成しても良い。
【００２６】
以上のように構成された本考案の実施の形態２における薬服用補助具によれば、実施の形態１の作用に加え、以下の作用を有する。
（１）把手部３の内部に薬の収容部１２を備えているので、薬服用補助具とともに必要な薬を持ち歩くことができ利便性に優れるとともに、薬服用補助具を持ち歩くことで、薬を忘れることがないため、飲み忘れを防ぐことができる。
（２）膨出部４ａ，４ａ’の大きさが異なるので、薬の種類・形状や使用する患者の年齢（大人と子供）等によって服用の際に使用する膨出部を選択することができ、利便性に優れる。
【産業上の利用可能性】
【００２７】
本考案は、支持台を備え、把手部に器部が連設されているので、飲み口に当たる部分が載置面や手等に直接触れる必要が無く衛生面に優れ、把手部を持って薬を服用するので、薬を服用者やその介護者等どのような人が用いても薬を服用者の口に流し入れ易く、薬が器部内に残り難いので、種類に関わらず薬を容易に服用することができ、利便性に優れる薬服用補助具を提供することができる。
【符号の説明】
【００２８】
１  薬服用補助具
２  支持台
３  把手部
３ａ  フランジ部
３ｂ  開口部
４  器部
４ａ，４ａ’  膨出部
４ｂ  窪み部
５  接合部
１０  薬服用補助具
１１  扉部
１１ａ  切欠部
１１ｂ  ヒンジ部
１２  薬収容部
【図１】
0003183570.tif 000003
【図２】
0003183570.tif 000004
【図３】
0003183570.tif 000005
【図４】
0003183570.tif 000006
【図５】
0003183570.tif 000007
【図６】
0003183570.tif 000008
【図７】
0003183570.tif 000009